(57)【要約】【課題】ポケットコイルシートにおけるコイル回収性およびポケットコイルシートの分解性、廃棄性を向上すること。【解決手段】多数のポケットコイル（２、２ａ…）を独立封入した袋列（３、３ａ…）同士を接着固定し、矩形なポケットコイルシート（４）を形成したものにおいて、前記ポケットコイルシート（４）の長さ方向（５）の下面に押えしろ（６、６ａ、６ｂ）を接着し、該押えしろ（６、６ａ、６ｂ）がポケットコイルシート（４）の幅方向（７）より突出しており、個々の袋（１、１ａ…）の接着部より下に多数の貫通孔（９、９ａ…）を列状に有することを特徴とするポケットコイルシート。【選択図】図１
2010012055.tif 000002
【特許請求の範囲】
【請求項１】
連続する複数の袋内にそれぞれ独立してポケットコイルが封入されてなる袋列同士を接着固定し、矩形なポケットコイルシートを形成したものにおいて、前記ポケットコイルシートの下面に押えしろを接着し、該押えしろがポケットコイルシートの幅方向より突出しており、袋列同士の接着部より下に、個々の袋に多数の貫通孔を列状に有することを特徴とするポケットコイルシート。
【発明の詳細な説明】
【技術分野】
【０００１】
本発明は、袋内にコイルが封入されたポケットコイルシートに関するものであって、スプリングユニットの廃棄または分解時にコイルスプリングの取出しが容易に行えるように改良したものである。
【背景技術】
【０００２】
従来のシートは、袋内にコイルが封入されたスプリングユニットを備えたポケットコイルシートで袋の一部に強度的に弱い破断部を設け、前記スプリングユニットの分解時、前記破断部を破断させるようにしたもので、実施例として、連続する複数の袋内にそれぞれ独立してポケットコイルが封入された袋列同士を熱溶着により溶着し、矩形のポケットコイルシートにしたものであった。その場合にポケットコイルシートの上面または下面に破断部を有したものとなっていた。
【０００３】
【特許文献１】特開２００５−６５７２６号公報（第２−１１頁、第１図〜第１７図）
【発明の開示】
【発明が解決しようとする課題】
【０００４】
従来のシートは、連続する複数の袋内にそれぞれ独立して封入された袋列同士を熱溶着により溶着し、矩形のポケットコイルシートにしたもので、該ポケットコイルシートの上面または下面に袋列ごとに破断部を有しており、隣接している袋列間に破断部が連続したものでないため、分解または廃棄時にコイル列ごとに分解しなければならない。ポケットコイルシートに突出部がないため、分解する際にポケットコイルシートが動かないようにポケットコイルシートの上面を押えなければならず、また分解時に順次押える位置を移動しなければならないので、分解時に時間と手間を要していた。
【課題を解決するための手段】
【０００５】
本発明のポケットコイルシートユニットは、連続する複数の袋（１、１ａ…）内にそれぞれ独立してポケットコイル（２、２ａ…）が封入されてなる袋列（３、３ａ…）同士を接着固定し、矩形なポケットコイルシート（４）を形成したものにおいて、前記ポケットコイルシート（４）の下面に押えしろ（６、６ａ、６ｂ）を接着し、該押えしろ（６、６ａ、６ｂ）がポケットコイルシート（４）の幅方向（７）より突出しており、図２、図３で示されるように、個々の袋（１、１ａ…）の接着部（８、８ａ…）より下に多数の貫通孔（９、９ａ…）を列状に有するものである。
【発明の効果】
【０００６】
本発明のポケットコイルシートユニットは、袋（１、１ａ…）内にポケットコイル（２、２ｂ…）が封入されたスプリングユニットのポケットコイルシート（４）において、図２、図３で示されるように、袋（１、１ａ…）の接着部（８）より下に貫通孔（９、９ａ…）を設け、また押えしろ（６）を接着し、幅方向（７）に突出させることによりポケットコイルシート（４）の分解時に押えしろ（６、６ａ、６ｂ）を重量物（１０、１０ａ）により押え、ポケットコイルシート（４）の上面側より解体機器（１１）等で掴み、引張ることで掴んだ部分の袋（１、１ａ…）が貫通孔（９、９ａ…）部から分離され、分離した上部の袋（１、１ａ…）に隣接する袋（１、１ａ…）と接着部（８）で連結されていることで隣接する袋（１、１ａ…）を引張り上げることになり、順次隣接する袋（１、１ａ…）を分離することができる。これにより、袋（１、１ａ…）からポケットコイル（２、２ａ…）の取出しが容易に行え、廃棄時のスプリングユニットの分解性を向上させることで分解時の時間と手間を省き、またポケットコイルと袋体の分別が容易となり、リサイクル性を向上させるという実用上多大な効果を奏する。
【０００７】
また袋（１、１ａ…）の接着部（８）より下に多数の貫通孔（９、９ａ…）を設けることで、ポケットコイルシート（４）の通気性に関しても効果を奏する。
【発明を実施するための最良の形態】
【０００８】
以下、本発明の実施例を図面を用いて説明する。
【実施例１】
【０００９】
本実施形態のポケットコイルシート（４）は、図１で示されるように連続する複数の不織布で構成された袋（１、１ａ…）内にそれぞれ独立してポケットコイル（２、２ａ…）が封入され、隣接する袋列（３、３ａ…）同士を接着し、矩形なポケットコイルシート（４）に形成されている。また該ポケットコイルシート（４）の長さ方向（５）一方端下面の幅方向（７）端部に不織布で構成された押えしろ（６）を接着したもので、該押えしろ（６）がポケットコイルシート（４）の幅方向（７）より突出し、前記個々の（１、１ａ…）の接着部（８、８ａ…）より下に図２、図３で示されるように、貫通孔（９，９ａ…）を列状に１列有したものである。図２、図３で示されるように、袋（１、１ａ…）の接着部（８、８ａ…）より下に貫通孔（９、９ａ…）を有することと押えしろ（６）を接着し、幅方向（７）に突出させることにより、ポケットコイルシート（４）の分解時に突出部分を重量物（１０、１０ａ）により押え、袋（１、１ａ…）を解体機器（１１）等で掴み、引張ることで掴んだ部分の袋（１、１ａ…）が貫通孔（９、９ａ）部から分離され、分離した上部の袋に隣接する袋（１、１ａ…）と接着連結されていることで、隣接する袋（１、１ａ…）を引張り上げることになり、順次隣接する袋（１、１ａ…）を分離することができる。該ポケットコイルシート（４）の分解時に袋（１、１ａ…）からポケットコイル（２、２ａ…）の取出しが容易に行え、廃棄時にスプリングユニットの分解性を向上させるという利点がある。
【００１０】
以下、分解時に使用する押えしろの実施例を図面を用いて説明する。
【実施例２】
【００１１】
本実施形態は図４示されるように、該ポケットコイルシート（４）の長さ方向（５）両端下面の幅方向（７）に不織布で構成された押えしろ（６、６ａ）を、該ポケットコイルシート（４）から突出状態で接着したもので、分解時に該押えしろ（６、６ａ）を重量物（１０、１０ａ）により押え、袋（１、１ａ…）を解体機器（１１）等で掴むことで効率よく分解でき、該押えしろ（６、６ａ）を長さ方向（５）一方端下面の幅方向（７）で接着したときに比べ、よりポケットコイルシート（４）を固定することができ、安定した状態で分解できるという利点を有する。
【実施例３】
【００１２】
本実施形態は図５で示されるように、該ポケットコイルシート（４）の長さ方向（５）下面の両端および中央下面の幅方向（７）端部に不織布で構成された押えしろ（６、６ａ）を、該ポケットコイルシート（４）から突出状態で接着したもので、分解時に該押えしろ（６、６ａ、６ｂ）を重量物（１０、１０ａ）により押え、袋（１、１ａ…）を解体機器（１１）等で掴むことで効率よく分解でき、該押えしろ（６、６ａ）を長さ方向（５）両端下面の幅方向（７）で接着したときに比べ、よりポケットコイルシート（４）を固定することができ、安定した状態で分解できるという利点を有する。
【実施例４】
【００１３】
本実施形態は図６で示されるように、該ポケットコイルシート（４）の長さ方向（５）の下面の両側に不織布で構成された押えしろ（６、６ａ）を、該ポケットコイルシート（４）から突出状態で接着したもので、分解時に該押えしろ（６、６ａ）を重量物（１０、１０ａ）により押え、袋（１、１ａ…）を解体機器（１１）等で掴むことで効率よく分解でき、該押えしろ（６、６ａ）を長さ方向（５）下面の両端および中央下面の幅方向（７）で接着したときに比べ、よりポケットコイルシート（４）を固定することができ、安定した状態で分解できるという利点を有する。
【実施例５】
【００１４】
本実施形態は図７で示されるように、該ポケットコイルシート（４）の下面部に不織布で構成された押えしろ（６）を、該ポケットコイルシート（４）から突出状態で面状に接着したもので、分解時に該押えしろ（６）を重量物（１０、１０ａ）により押えることで、ポケットコイルシート（４）下面を面でしっかりと固定できるため、袋（１、１ａ…）を解体機器（１１）等で掴むことで効率よく分解でき、該押えしろ（６）を長さ方向（５）の幅方向（７）下面の両側で接着したときに比べ、よりポケットコイルシート（４）を固定することができ、安定した状態で分解できるという利点を有する。
【００１５】
以下、ポケットコイルシートの分解の１つの例を図を用いて説明する。
【００１６】
ポケットコイルシート（４）の幅方向（７）に突出している押えしろ（６）を図８のように、分解時にポケットコイルシート（４）を固定できる程度の重量物（１０、１０ａ）を該押えしろ（６）のポケットコイルシート（４）より突出している部分の上に置き、ポケットコイルシート（４）を固定し、解体工事等で使用されるチルト式のフォーククロー（１１）等でポケットコイルシート（４）の上面側から掴み、引張ることでポケットコイルシート（４）の分解を容易に行うことができる。
【産業上の利用可能性】
【００１７】
本発明のポケットコイルシートユニットは主としてマットレス用ポケットコイルシートに使用するものであるが、ソファやソファベッド用のポケットコイルシートとしても同様に適用することができる。
【図面の簡単な説明】
【００１８】
【図１】貫通孔付きのポケットコイルシートの実施例１を示した全体斜視図である。
【図２】図１のポケットコイルシート（４）の袋（１、１’…）の一部を切欠いて示した部分拡大斜視図である。
【図３】貫通孔付きのポケットコイルシートの接着部の詳細を示した図２のＡＢＣＤで囲まれる部分の断面図である。
【図４】ポケットコイルシートの分解時に使用する押えしろの実施例３を示した全体斜視図である。
【図５】ポケットコイルシートの分解時に使用する押えしろの実施例４を示した全体斜視図である。
【図６】ポケットコイルシートの分解時に使用する押えしろの実施例５を示した全体斜視図である。
【図７】ポケットコイルシートの分解時に使用する押えしろの実施例６を示した全体斜視図である。
【図８】ポケットコイルシートの分解時の１つの方法を説明した全体斜視図である。
【符号の説明】
【００１９】
１、１ａ…      袋
２、２ａ…      ポケットコイル
３、３ａ…      袋列
４              ポケットコイルシート
５              長さ方向
６、６ａ、６ｂ   押えしろ
７              幅方向
８、８ａ…      接着部
９、９ａ…      貫通孔
１０、１０ａ     重量物
１１            チルト式のフォーククロー
【図１】
2010012055.tif 000003
【図２】
2010012055.tif 000004
【図３】
2010012055.tif 000005
【図４】
2010012055.tif 000006
【図５】
2010012055.tif 000007
【図６】
2010012055.tif 000008
【図７】
2010012055.tif 000009
【図８】
2010012055.tif 000010